【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
他の携帯型情報端末と通信を行う携帯型情報端末であって、
当該携帯型情報端末の識別番号と、当該携帯型情報端末でプレイされたビデオゲームの得点とが関連付けされた第１データを含む得点テーブルが記憶された記憶手段と、
前記得点テーブルを送信する送信手段と、
前記他の携帯型情報端末の識別番号と、前記他の携帯型情報端末でプレイされたビデオゲームの得点とが関連付けされた第２データを含む得点テーブルを受信する受信手段と、
前記記憶手段に記憶されている前記得点テーブルと受信された前記得点テーブルとを結合して新たな得点テーブルを作成する手段と、
前記新たな得点テーブルに含まれる前記第１データと前記第２データを得点に応じて入れ替える手段と、
入れ替え後の前記新たな得点テーブルに、前記第１データが複数存在する場合に、一番得点の大きい第１データを選択して１つの第１データとする手段とを有することを特徴とする携帯型情報端末。
【請求項２】
請求項１記載の携帯型情報端末において、
前記記憶手段に記憶されたデータが表示される表示部を有し、
入れ替え後の前記新たな得点テーブルは、前記第１データ及び前記第２データの各得点に応じた順位データが含まれ、
少なくとも入れ替え後の前記新たな得点テーブルに含まれる前記第１データと該第１データに対応する順位データを前記表示部に表示する表示手段を有することを特徴とする携帯型情報端末。
【請求項３】
請求項１記載の携帯型情報端末において、
前記記憶手段に記憶されたデータが表示される表示部と、
入れ替え後の前記新たな得点テーブルを前記表示部に表示する表示手段とを有し、
前記表示手段は、入れ替え後の前記新たな得点テーブルを、前記表示部が表示できる範囲の中心位置に前記第１データが表示されるように表示することを特徴とする携帯型情報端末。
【請求項４】
他の携帯型情報端末と通信を行う携帯型情報端末であって、
当該携帯型情報端末の識別番号と、当該携帯型情報端末でプレイされたビデオゲームの得点とが関連付けされた第１データを含む得点テーブルが記憶された記憶手段と、
前記得点テーブルを送信する送信手段と、
前記他の携帯型情報端末の識別番号と、前記他の携帯型情報端末でプレイされたビデオゲームの得点とが関連付けされた第２データを含む得点テーブルを受信する受信手段とを有する携帯型情報端末を、
前記記憶手段に記憶されている前記得点テーブルと受信された前記得点テーブルとを結合して新たな得点テーブルを作成する手段、
前記新たな得点テーブルに含まれる前記第１データと前記第２データを得点に応じて入れ替える手段、
入れ替え後の前記新たな得点テーブルに、前記第１データが複数存在する場合に、一番得点の大きい第１データを選択して１つの第１データとする手段、
として機能させるためのプログラムを記録したコンピュータ読み取り可能な記録媒体。
【請求項５】
他の携帯型情報端末と通信を行う携帯型情報端末であって、
当該携帯型情報端末の識別番号と、当該携帯型情報端末でプレイされたビデオゲームの得点とが関連付けされた第１データを含む得点テーブルが記憶された記憶手段と、
前記得点テーブルを送信する送信手段と、
前記他の携帯型情報端末の識別番号と、前記他の携帯型情報端末でプレイされたビデオゲームの得点とが関連付けされた第２データを含む得点テーブルを受信する受信手段とを有する携帯型情報端末を、
前記記憶手段に記憶されている前記得点テーブルと受信された前記得点テーブルとを結合して新たな得点テーブルを作成する手段、
前記新たな得点テーブルに含まれる前記第１データと前記第２データを得点に応じて入れ替える手段、
入れ替え後の前記新たな得点テーブルに、前記第１データが複数存在する場合に、一番得点の大きい第１データを選択して１つの第１データとする手段、
として機能させるためのプログラム。
【手続補正２】
【補正対象書類名】明細書
【補正対象項目名】発明の名称
【補正方法】変更
【補正の内容】
【発明の名称】携帯型情報端末、記録媒体及びプログラム
【手続補正３】
【補正対象書類名】明細書
【補正対象項目名】０００１
【補正方法】変更
【補正の内容】
【０００１】
本発明は、情報機器の補助記憶装置として使用される携帯型情報端末と、該携帯型情報端末にダウンロードされるべきプログラムを記録した記録媒体と、プログラムに関する。
【手続補正４】
【補正対象書類名】明細書
【補正対象項目名】０００５
【補正方法】変更
【補正の内容】
【０００５】
また、本発明の他の目的は、上述のように多機能化を図ることができる携帯型情報端末を動作させるプログラムが記録された記録媒体を提供することにある。
また、本発明の他の目的は、上述のように多機能化を図ることができる携帯型情報端末を動作させるプログラムを提供することにある。
【手続補正５】
【補正対象書類名】明細書
【補正対象項目名】０００６
【補正方法】変更
【補正の内容】
【０００６】
本発明に係る携帯型情報端末は、他の携帯型情報端末と通信を行う携帯型情報端末であって、当該携帯型情報端末の識別番号と、当該携帯型情報端末でプレイされたビデオゲームの得点とが関連付けされた第１データを含む得点テーブルが記憶された記憶手段と、前記得点テーブルを送信する送信手段と、前記他の携帯型情報端末の識別番号と、前記他の携帯型情報端末でプレイされたビデオゲームの得点とが関連付けされた第２データを含む得点テーブルを受信する受信手段と、前記記憶手段に記憶されている前記得点テーブルと受信された前記得点テーブルとを結合して新たな得点テーブルを作成する手段と、前記新たな得点テーブルに含まれる前記第１データと前記第２データを得点に応じて入れ替える手段と、入れ替え後の前記新たな得点テーブルに、前記第１データが複数存在する場合に、一番得点の大きい第１データを選択して１つの第１データとする手段とを有することを特徴とする。
【手続補正６】
【補正対象書類名】明細書
【補正対象項目名】０００９
【補正方法】変更
【補正の内容】
【０００９】
そして、本発明において、前記記憶手段に記憶されたデータが表示される表示部を有し、入れ替え後の前記新たな得点テーブルは、前記第１データ及び前記第２データの各得点に応じた順位データが含まれ、少なくとも入れ替え後の前記新たな得点テーブルに含まれる前記第１データと該第１データに対応する順位データを前記表示部に表示する表示手段を有するようにしてもよい。
【手続補正７】
【補正対象書類名】明細書
【補正対象項目名】００１０
【補正方法】変更
【補正の内容】
【００１０】
また、本発明において、前記記憶手段に記憶されたデータが表示される表示部と、入れ替え後の前記新たな得点テーブルを前記表示部に表示する表示手段とを有し、前記表示手段は、入れ替え後の前記新たな得点テーブルを、前記表示部が表示できる範囲の中心位置に前記第１データが表示されるように表示するようにしてもよい。
【手続補正８】
【補正対象書類名】明細書
【補正対象項目名】００１１
【補正方法】変更
【補正の内容】
【００１１】
次に、本発明に係る記録媒体は、他の携帯型情報端末と通信を行う携帯型情報端末であって、当該携帯型情報端末の識別番号と、当該携帯型情報端末でプレイされたビデオゲームの得点とが関連付けされた第１データを含む得点テーブルが記憶された記憶手段と、前記得点テーブルを送信する送信手段と、前記他の携帯型情報端末の識別番号と、前記他の携帯型情報端末でプレイされたビデオゲームの得点とが関連付けされた第２データを含む得点テーブルを受信する受信手段とを有する携帯型情報端末を、前記記憶手段に記憶されている前記得点テーブルと受信された前記得点テーブルとを結合して新たな得点テーブルを作成する手段、前記新たな得点テーブルに含まれる前記第１データと前記第２データを得点に応じて入れ替える手段、入れ替え後の前記新たな得点テーブルに、前記第１データが複数存在する場合に、一番得点の大きい第１データを選択して１つの第１データとする手段、として機能させるためのプログラムを記録したコンピュータ読み取り可能な記録媒体である。
【手続補正９】
【補正対象書類名】明細書
【補正対象項目名】００１２
【補正方法】変更
【補正の内容】
【００１２】
次に、本発明に係るプログラムは、他の携帯型情報端末と通信を行う携帯型情報端末であって、当該携帯型情報端末の識別番号と、当該携帯型情報端末でプレイされたビデオゲームの得点とが関連付けされた第１データを含む得点テーブルが記憶された記憶手段と、前記得点テーブルを送信する送信手段と、前記他の携帯型情報端末の識別番号と、前記他の携帯型情報端末でプレイされたビデオゲームの得点とが関連付けされた第２データを含む得点テーブルを受信する受信手段とを有する携帯型情報端末を、前記記憶手段に記憶されている前記得点テーブルと受信された前記得点テーブルとを結合して新たな得点テーブルを作成する手段、前記新たな得点テーブルに含まれる前記第１データと前記第２データを得点に応じて入れ替える手段、入れ替え後の前記新たな得点テーブルに、前記第１データが複数存在する場合に、一番得点の大きい第１データを選択して１つの第１データとする手段、として機能させるためのプログラムである。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００２０
【補正方法】変更
【補正の内容】
【００２０】
また、本発明に係る記録媒体によれば、個人が使用する携帯型情報端末の情報に加えて他の携帯型情報端末の情報を共有することが可能となり、その個人の端末上で該個人が保有する情報と他人が保有する情報を簡単に比較すること、例えばゲームの結果を有効に利用することができ、携帯型情報端末の多機能化を図ることができるプログラムを提供することができる。
また、本発明に係るプログラムによれば、個人が使用する携帯型情報端末の情報に加えて他の携帯型情報端末の情報を共有することが可能となり、その個人の端末上で該個人が保有する情報と他人が保有する情報を簡単に比較すること、例えばゲームの結果を有効に利用することができ、携帯型情報端末の多機能化を図ることができる。
【手続補正１７】
【補正対象書類名】明細書
【補正対象項目名】０１６６
【補正方法】変更
【補正の内容】
【０１６６】
なお、この発明に係る携帯型情報端末、記録媒体及びプログラムは、上述の実施の形態に限らず、この発明の要旨を逸脱することなく、種々の構成を採り得ることはもちろんである。